(57)【要約】【課題】操作糸の付いた不正球を使って行なわれる不正を防止するようにした糸切部材及び戻り球防止具を提供する。【解決手段】球受皿１０８から発射レール１０５を介して遊技盤１０２面の遊技部１０２ａに連なる球飛走通路１１６の終端出口部１１７までの間の球供給発射経路に配置し、金属製の薄板から形成され、その本体板部１の一側縁１ａに折曲線部４を挟んで折返板部５が連設され、折曲線部４を境に折返板部５を本体板部１の側面に折り重ねることにより本体板部１の一側縁１ａとこれと対向する折返板部５の一側縁５ａとでＶ溝６が形成され、遊技部１０２ａに打ち込まれた不正球ｃから不正行為者の手元に至る操作糸ｄがＶ溝６に嵌り該Ｖ溝６により切断されるようにした。【選択図】図１
2013144007.tif 000002
【特許請求の範囲】
【請求項１】
発射レールの球発射部へ供給される弾球を貯留する球受皿から該発射レールを介して遊技盤面の遊技部に連なる球飛走通路の終端出口部までの間の球供給発射経路に配置し、
金属製の薄板から形成され、その本体板部の一側縁に折曲線部を挟んで折返板部が連設され、前記折曲線部を境に前記折返板部を前記本体板部の側面に折り重ねることにより前記本体板部の一側縁とこれと対向する前記折返板部の一側縁とでＶ溝が形成され、
前記遊技部に打ち込まれた不正球から不正行為者の手元に至る操作糸が前記Ｖ溝に嵌り該Ｖ溝により切断されるようにしたことを特徴とする弾球遊技機用糸切部材。
【請求項２】
遊技盤面の遊技部に連なる球飛走通路の終端出口部に設けられ、鉛直面内で回動するように支軸により軸着されかつ常には前記終端出口部を塞ぐように付勢されると共に弾球の前記球飛走通路から前記遊技部への通過は許すが該遊技部から該球飛走通路への逆戻りは阻止する戻り球防止片を備えた弾球遊技機用戻り球防止具であって、
前記戻り球防止片は金属製の薄板から形成され、その本体板部における前記支軸より上方の一側縁に折曲線部を挟んで折返板部が連設され、前記折曲線部を境に前記折返板部を前記本体板部の側面に折り重ねることにより前記本体板部の上端部に該本体板部の一側縁とこれと対向する前記折返板部の一側縁とでＶ溝が形成され、
前記遊技部に打ち込まれた不正球から不正行為者の手元に至る操作糸が前記Ｖ溝に嵌り該Ｖ溝により切断されるようにしたことを特徴とする弾球遊技機用戻り球防止具。
【発明の詳細な説明】
【技術分野】
【０００１】
本発明は、操作糸の先に固着した不正球を遊技部に打ち込み、弾球遊技機の前側から操作糸を介して不正球を操作することにより行なわれる不正を防止するようにした弾球遊技機用糸切部材（以下、単に「糸切部材」という。）及び弾球遊技機用戻り球防止具（以下、単に「戻り球防止具」という。）に関するものである。
【背景技術】
【０００２】
従来、弾球遊技機の一種であるパチンコ遊技機は、長方形状の外枠に内枠が開閉自在に軸着され、該内枠に遊技盤が配設されている。また、内枠の前面には該遊技盤の前面を覆う透明板保持枠が同じく開閉自在に軸着され、その下方に遊技部の下方を覆う前板が開閉自在に軸着されている。前記遊技盤の下方であって内枠の前面に打球発射レールが装着され、前板の前面には該打球発射レールの球発射部に供給される遊技球を貯留する球受皿が装着されている。前記遊技盤の前面には、略渦巻状に敷設される内側ガイドレールと外側ガイドレールとにより囲われるようにして遊技部が形成され、また、内側ガイドレールと外側ガイドレールとの間に遊技部に連なる球飛走通路が形成されている。そして、球受皿から発射レールの球発射部へ遊技球が供給され、該球発射部に供給された遊技球は打ち出されて球飛走通路を飛走すると共にその終端出口部から遊技部へ打ち込まれる（例えば、特許文献１参照。）。
【先行技術文献】
【特許文献】
【０００３】
【特許文献１】特開平７−１７１２４５号公報（第３−５頁、図２）
【発明の概要】
【発明が解決しようとする課題】
【０００４】
ところで、近時、釣り糸のような細い操作糸の先を不正球に固着し、該不正球を通常の遊技球と同じく球受皿に入れて発射レールから打ち出しその操作糸を付けたまま遊技部に打ち込み、不正行為者が操作糸を手元で操作することにより、例えば不正球を使って故意に入賞口に遊技球を入賞させるという不正が行なわれおり、その解決策に苦慮しているという課題が有る。
【０００５】
そこで、本発明は前記課題を解決すべくなされたもので、操作糸が簡単に切れるようにして不正球を使って行なわれる不正を防止するようにした糸切部材及び戻り球防止具を提供することを目的とするものである。
【課題を解決するための手段】
【０００６】
かかる目的を達成するため本発明に係る糸切部材は、発射レールの球発射部へ供給される弾球を貯留する球受皿から該発射レールを介して遊技盤面の遊技部に連なる球飛走通路の終端出口部までの間の球供給発射経路に配置し、金属製の薄板から形成され、その本体板部の一側縁に折曲線部を挟んで折返板部が連設され、前記折曲線部を境に前記折返板部を前記本体板部の側面に折り重ねることにより前記本体板部の一側縁とこれと対向する前記折返板部の一側縁とでＶ溝が形成され、前記遊技部に打ち込まれた不正球から不正行為者の手元に至る操作糸が前記Ｖ溝に嵌り該Ｖ溝により切断されるようにしたことを特徴とする。
【０００７】
また、本発明に係る戻り球防止具は、遊技盤面の遊技部に連なる球飛走通路の終端出口部に設けられ、鉛直面内で回動するように支軸により軸着されかつ常には前記終端出口部を塞ぐように付勢されると共に弾球の前記球飛走通路から前記遊技部への通過は許すが該遊技部から該球飛走通路への逆戻りは阻止する戻り球防止片を備えた弾球遊技機用戻り球防止具であって、前記戻り球防止片は金属製の薄板から形成され、その本体板部における前記支軸より上方の一側縁に折曲線部を挟んで折返板部が連設され、前記折曲線部を境に前記折返板部を前記本体板部の側面に折り重ねることにより前記本体板部の上端部に該本体板部の一側縁とこれと対向する前記折返板部の一側縁とでＶ溝が形成され、前記遊技部に打ち込まれた不正球から不正行為者の手元に至る操作糸が前記Ｖ溝に嵌り該Ｖ溝により切断されるようにしたことを特徴とする。
【発明の効果】
【０００８】
本発明に係る糸切部材は、金属製の薄板から形成され、その本体板部の一側縁に折曲線部を挟んで折返板部が連設され、折曲線部を境に折返板部を本体板部の側面に折り重ねることにより本体板部の一側縁とこれと対向する折返板部の一側縁とでＶ溝が形成されるようにしている。そして、球受皿から発射レールを介して遊技部に連なる球飛走通路の終端出口部までの間の球供給発射経路に糸切部材を配置することにより、不正行為者が手元で操作糸を操作すると、該操作糸がＶ溝に嵌って切れる仕組みになっているので、そのような不正行為が防止されるという効果がある。
【０００９】
また、本発明に係る戻り球防止具は、遊技盤面の遊技部に連なる球飛走通路の終端出口部に設けられ、鉛直面内で回動するように支軸により軸着されかつ常には終端出口部を塞ぐように付勢されると共に弾球の球飛走通路から遊技部への通過は許すが該遊技部から該球飛走通路への逆戻りは阻止する戻り球防止片を備えている。そこで、該戻り球防止片は金属製の薄板から形成され、その本体板部における支軸より上方の一側縁に折曲線部を挟んで折返板部が連設され、折曲線部を境に折返板部を本体板部の側面に折り重ねることにより本体板部の上端部に該本体板部の一側縁とこれと対向する前記折返板部の一側縁とでＶ溝が形成されるようにしている。そして、この場合、戻り球防止片のＶ溝が球飛走通路に対し直交するように位置しており、そのＶ溝に操作糸が嵌って切れることになるので、前記のような不正が防止される。また、折返板部が本体板部の側面に折り重なり一枚板状に形成されるので、この部位に球飛走通路を飛走する弾球が繰り返し衝突しても、Ｖ溝が変形することがなく、球飛び状態も安定するという効果がある。
【図面の簡単な説明】
【００１０】
【図１】本発明に係る糸切部材の斜視図。
【図２】（イ）は糸切部材の正面図、（ロ）は同平面図。
【図３】本発明が適用されるパチンコ遊技機の正面図。
【図４】糸切部材の取付状態を示す前板の裏面図。
【図５】戻り球防止具の斜視図。
【図６】同正面図。
【図７】同側面断面図。
【図８】同取付状態を示す遊技部の一部の正面図。
【図９】同使用状態を示す遊技部の一部の正面図。
【発明を実施するための形態】
【００１１】
以下、本発明に係る糸切部材及び戻り球防止具の最良の実施の形態を図面に基き詳しく説明する。本発明は例えばパチンコ遊技機、雀球機、アレパチ機等の弾球遊技機に適用されるが、このうち本発明がパチンコ遊技機に適用される場合について説明する。
【００１２】
まず、本発明が適用されるパチンコ遊技機について説明する。図３は本発明が適用されるパチンコ遊技機の正面図、図４は糸切部材の取付状態を示す前板の裏面図である。該パチンコ遊技機Ｐは縦長長方形状の外枠１００を有し、該外枠１００の前面に内枠１０１が開閉自在に装着され、該内枠１０１に遊技盤１０２が配設されている。また、内枠１０１の前面に前記遊技盤１０２の前面を覆う額縁状の透明板保持枠１０３が開閉自在に装着され、その下方に遊技盤１０２の下部を覆う前板１０４が同じく開閉自在に装着されている。
【００１３】
前記遊技盤１０２の下方であって内枠１０１の前面に発射レール１０５が取着され、該発射レール１０５の球発射部１０５ａに供給される弾球としての遊技球を打球槌１０６により打球して発射するようにしている。一方、前板１０４裏面には発射レール１０５の球発射部１０５ａに遊技球を一個ずつ供給する球供給装置１０７が装着され、裏側の球出口１０７ａから遊技球が球発射部１０５ａに落下する。また、前板１０４の前面に、前記球供給装置１０７に供給する遊技球を貯留するための球受皿１０８が装着されている。内枠１０１の下部前面には、前記球受皿１０８から溢れる遊技球を貯留する球貯留皿１０９が装着されている。１１０はその一側に装着され前記打球槌１０６による遊技球の打球力を調整するための打球力調整ハンドルである。
【００１４】
前記遊技盤１０２の前面に、内側ガイドレール１１１ａと外側ガイドレール１１１ｂが略渦巻き状に敷設され、これらに囲まれるようにして遊技部１０２ａが形成される。そして、該遊技部１０２ａには、その中央に文字、数字等の図柄を変動表示する可変表示器１１２ａを備えた可変表示装置１１２が配設される。また、その下方に遊技球の入賞により該可変表示器１１２ａに表示される図柄を変動する始動入賞口１１３が配置され、更にその下方に大型の入賞装置１１４が配置されている。該入賞装置１１４の両側には、それぞれ一般の入賞口１１５が配置されている。内側ガイドレール１１１ａと外側ガイドレール１１１ｂとの間に、前記発射レール１０５と連通し、発射された遊技球を遊技部１０２ａに導く球飛走通路１１６が形成され、その終端出口部１１７であって内側ガイドレール１１１ａの先端外側に後で詳しく説明する戻り球防止具Ｂが取着されている。１１８は、遊技部１０２ａに打ち込まれた遊技球であって入賞球になり得なかった遊技球をアウト球として該遊技盤１０２の外側へ排出するためのアウト球口である。
【００１５】
そして、発射レール１０５に供給されると共に打球槌１０６により打球されて球発射部１０５ａから発射した遊技球は、球飛送通路１１６を飛走してその終端出口部１１７の後記する戻り球防止具Ｂにおける戻り球防止片１３を押し退けて遊技部１０２ａに達する。遊技盤１０２面の遊技部１０２ａを流下する遊技球が始動入賞口１１３に入賞すると、可変表示装置１１２の可変表示器１１２ａに表示される図柄が変動を開始し、一定時間経過後に停止する。このとき、停止した図柄が例えば「７７７」といった特定の図柄に揃うと、所謂「大当り」という遊技者に有利な特別遊技状態になる。この状態になると、大型の入賞装置１１４が開放して例えば遊技球が該入賞装置１１４に１０個入賞するまで、または３０秒間の間開く。更に、これを１ラウンドとして一定の条件が継続される限り最大限１６ラウンドまで繰り返され、一度に多くの賞球が得られるようになっている。
【００１６】
そこで、例えば球受皿１０８内に他の遊技球と混ざるようにして不正球ｃを混入し、該不正球ｃを遊技部１０２ａに打ち込み、故意に入賞球を発生させる不正行為が行なわれている。詳しくは図３鎖線に示すように、前記球受皿１０８内に混ざる不正球ｃに細い操作糸ｄの先端が固着されている。そして、球発射部１０５ａから発射された不正球ｃは操作糸ｄがついたまま球飛走通路１１６を介して遊技部１０２ａに達し、操作糸ｄにより吊られた状態で停止する。不正行為者は、その操作糸ｄを伸ばしたり引っ張ったりして不正球ｃを遊技盤１０２面上で動かし、例えば一般の入賞口１１５の近くに配置し、該入賞口１１５へのガイドの役割を果たさせ、故意に入賞球を得ている。
【００１７】
本発明に係る糸切部材は前記不正行為を防止するものであって、図１は本発明に係る糸切部材の斜視図、図２（イ）は糸切部材の正面図、図２（ロ）は同平面図である。糸切部材Ａは、例えば厚さ０．３ｍｍのステンレス製の薄板をプレスにより打ち抜いて形成され、本体板部１と取付板部２とが屈曲し正面略Ｌ字状をなす。
【００１８】
そして、本体板部１における屈曲部３と対向する第一側縁１ａの一部に、折曲線部４を挟んで折返板部５が連設される。折返板部５における折曲線部４と対向する一側縁５ａは、該折曲線部４と平行をなす。また、本体板部１における第一側縁１ａ側は前記折曲線部４部位を残して窪んでおり、第一側縁１ａは折曲線部４に対し取付板部２側へ傾斜している。折返板部５が本体板部１側に折り重ねられたとき、折返板部５の一側縁５ａと本体板部１の第一側縁１ａとが交差し、第一側縁１ａと一側縁５ａとにより外側へ進むに従い漸次広がるＶ溝６が形成される。また、該Ｖ溝６と連なる本体板部１の第二側縁１ｂは、該Ｖ溝６に近づくに連れ第二側縁１ｂとこれと対向する第三側縁１ｃとの間の間隔が漸次短くなるように傾斜し、第二側縁１ｂに掛かる操作糸ｄがＶ溝６側へ容易に誘導されるようになっている。取付板部２には、所定の位置にビス止めするためのビス挿通孔７が開設されている。
【００１９】
本発明に係る糸切部材Ａは前記構成からなる。そして、前記球受皿１０８から前記発射レール１０５を介して内側ガイドレール１１１ａと外側ガイドレール１１１ｂとにより囲まれる球飛走通路１１６の終端出口部１１７までの間の球供給発射経路Ｅ内の適宜位置に、糸切部材Ａが配置される。本発明にあっては、例えば図４に示すように前板１０４の裏側であって、球供給装置１０７の裏面に糸切部材Ａが配設される。詳しくは、球出口１０７ａの少し上流側であって球供給装置１０７裏面の所定高さ位置に取付板部２を当接する。また、本体板部１は鉛直方向を向きかつＶ溝６の開放側が下側を向くようにする。そして、ビス挿通孔７にビス８を挿通し、締付けることにより糸切部材Ａが固着される。これにより、取付板部２と直交する本体板部１の側面が発射レール１０５の上方であって発射される遊技球の発射方向を向くことになる。
【００２０】
そこで、不正行為者が操作糸ｄの付いた不正球ｃを球受皿１０８に投入し、そのまま他の遊技球と一緒に発射レール１０５から遊技部１０２ａに発射すると、不正球ｃは遊技部１０２ａに到達する。これにより、不正球ｃから不正行為者の手元にまで操作糸ｄが達しており、図４に示すように球供給装置１０７の球出口１０７ａから球飛走通路１１６を介して遊技部１０２ａの不正球ｃまで操作糸ｄが張られた状態になる。しかも、このとき糸切部材ＡにおけるＶ溝６の最奥端部は、張られた操作糸ｄよりも下方に位置するように設定される。これにより、不正行為者が不正をするため操作糸ｄを引いたり緩めたりすると、本体板部１の下縁である第二側縁１ｂがＶ溝６側に操作糸ｄを誘導するように傾斜しているので、操作糸ｄはＶ溝６に入ると直ちにその最奥端部に嵌まり込み、切断されることになる。
【００２１】
Ｖ溝６の最奥上端部に嵌まり込んだ操作糸ｄが簡単に切断されるようにするため、本来Ｖ溝６内の向かい合う端縁すなわち折返板部５の一側縁５ａと本体板部１の第一側縁１ａとは鋭利に研いでおく必要が有る。しかし、この場合糸切部材Ａを打ち抜いたときの一側面に生ずるバリがそのまま残り、しかも、折返板部５を本体板部１側に折り重ねることにより互いのバリが逆方向を向くこととなり、これが操作糸ｄを簡単に切断する役目をなす。よって、不正行為者が操作糸ｄを操作するも図４鎖線に示すように簡単に切断され、その不正行為が続行できなくなる。本発明の糸切部材Ａは、前記したように球受皿１０８から発射レール１０５を介して遊技部１０２ａに連なる球飛走通路１１６の終端出口部１１７までの間の球供給発射経路Ｅ内の適宜位置に配置されれば良い。
【００２２】
次に、球飛走通路１１６の終端出口部１１７に配置され、球飛走通路１１６から遊技部１０２ａへの遊技球の通過は許すが遊技部１０２ａから球飛走通路１１６への逆戻りを阻止する戻り球防止具Ｂについて説明する。図５は戻り球防止具の斜視図、図６は同正面図、図７は同側面断面図である。戻り球防止具Ｂは、一側面が開口１０する略長方形状のケース体９からなり、長手方向に沿って開口１０に隣接するようにして内側ガイドレール１１１ａの先端部を挿通して固定される固定平板部１１が形成されている。
【００２３】
前記ケース体９内には、球飛走通路１１６と対向位置する戻り球防止片１３が長手方向に対し直交する支軸１２により軸着され、長手方向に沿った面内で回動できるようになっている。該戻り球防止片１３は、例えば厚さ０．３ｍｍのステンレス製の薄板をプレスにより打ち抜いて縦長に形成されている。そして、該本体板部１４における支軸１２より上方の第一側縁１４ａは、折曲線部１５部位を残して窪んでおり、第一側縁１４ａは折曲線部１５に対し折曲線部１５とは反対側へ傾斜している。そして、折曲線部１５を介して折返板部１６を本体板部１４の側面に隙間なく折り重ねることにより、折返板部１６の第一側縁１６ａと本体板部１４の第一側縁１４ａとが交差し、これら第一側縁１４ａ，１６ａとにより外側すなわち上方が開放するＶ溝１７が形成される。また、該Ｖ溝１７と連なる本体板部１４の上端である第二側縁１４ｂと、同じくＶ溝１７と連なる折返板部１６の上端である第二側縁１６ｂとは、共に操作糸ｄが掛かったときＶ溝１７側へ容易に誘導するように傾斜が持たせてある。
【００２４】
本体板部１４の支軸１２より下方には重錘１８が取着されており、戻り球防止具Ｂを内側ガイドレール１１１ａの先端下面に、開口１０が該下面と向き合うようにして固着したとき、戻り球防止片１３が略鉛直な位置で停止するように回動付勢されている。
【００２５】
ケース本体９における固定平板部１１にはその長手方向に沿った両側縁にコ字型となるレールガイド部１９，１９が設けられ、両レールガイド部１９，１９間の固定平板部１１に一側縁を残して残りの周囲３方に切込２０を設け、該切込２０に囲まれるようにして長方形状の緩み防止片２１が設けられている。該緩み防止片２１は、固定平板部１１の両レールガイド部１９，１９にガイドされつつ差し込まれた内側ガイドレール１１１ａを緩まないように弾発固定するためのものであって、緩み防止片２１の先端部に内側ガイドレール１１１ａの先端下面に圧接する凸条２２が設けられている。
【００２６】
本発明に係る戻り球防止具Ｂは上記構成からなり、内側ガイドレール１１１ａの先端部に、開口１０が該内側ガイドレール１１１ａの下面側を向くようにして戻り球防止具Ｂを配置し、固定平板部１１にその下側から両レールガイド部１９，１９に沿って内側ガイドレール１１１ａを挿入する。これにより、内側ガイドレール１１１ａの先端部すなわち球飛走通路１１６の終端出口部１１７に、戻り球防止具Ｂが設けられる。常態では、戻り球防止片が図８実線に示すようにほぼ鉛直に起立するように回動付勢されて終端出口部１１７を塞いでおり、一旦遊技部１０２ａに放出された遊技球が再び球飛走通路１１６へ逆戻りするのを阻止している。一方、発射レール１０５から発射され球飛走通路１１６を飛走して遊技部１０２ａに打ち込まれる遊技球は、戻り球防止片１３に衝突する。これにより、戻り球防止片１３は、図８鎖線に示すように遊技球の進行方向へ回動してその通過を許す。よって、発射レール１０５から発射され球飛走通路１１６を飛走する遊技球は、戻り球防止片１３を押し退けて遊技部１０２ａに打ち込まれることになる。
【００２７】
そこで、前記のように不正行為者が操作糸ｄの付いた不正球ｃを球受皿１０８に投入し、そのまま他の遊技球と一緒に発射レール１０５から発射させ遊技部１０２ａに打ち込むと、前記のように不正球ｃは操作糸ｄがついたまま球飛走通路１１６を介して遊技部１０２ａに達し、操作糸ｄにより吊られた状態で停止する。そして、球供給装置１０７の球出口１０７ａから図９実線に示すように球飛走通路１１６を介して遊技部１０２ａの不正球ｃまで操作糸ｄが張られた状態になる。しかも、このとき戻り球防止具ＢにおけるＶ溝１７の最奥端部は張られた操作糸ｄよりも上方に位置するようになっている。これにより、不正行為者が不正をするため操作糸ｄを引いたり緩めたりすると、本体板部１４と折返板部１６の両第二側縁１４ｂ，１６ｂがＶ溝１７側に操作糸ｄを容易に誘導するように傾斜しているので、操作糸ｄがＶ溝１７に入ると直ちにその最奥端部に嵌まり込み、図９鎖線に示すように該操作糸ｄが切断されることになる。
【００２８】
この場合も、Ｖ溝１７の最奥端部に嵌まり込んだ操作糸ｄが簡単に切断されるようにするため、本来Ｖ溝１７内の向かい合う端縁すなわち折返板部１６の第一側縁１６ａと本体板部１４の第一側縁１４ａとは鋭利に研いでおく必要が有るが、この場合戻り球防止具Ｂを打ち抜いたときの一側面に生ずるバリがそのまま残り、これが操作糸ｄを簡単に切断する役目をなす。よって、不正行為者が操作糸ｄを操作するに図９鎖線に示すように簡単に切断され、その不正行為が続行できなくなる。
【００２９】
また、戻り球防止片１３のＶ溝１７が球飛走通路１１６に対し直交するように位置しており、そのＶ溝１７に操作糸ｄが嵌って切れることになるので、前記のような不正が防止される。また、折返板部１６が本体板部１４の側面に折り重なり一枚板状に形成されるので、この部位に球飛走通路１１６を飛走する遊技球が繰り返し衝突しても、Ｖ溝１７が変形することがなく、球飛び状態も安定する。
【符号の説明】
【００３０】
１                  本体板部
１ａ                第一側縁
４                  折曲線部
５                  折返板部
５ａ                一側縁
６                  Ｖ溝
１３                戻り球防止片
１４                本体板部
１４ａ              第一側縁
１５                折曲線部
１６                折返板部
１６ａ              第一側縁
１７                Ｖ溝
１０２              遊技盤
１０２ａ            遊技部
１０５              発射レール
１０５ａ            球発射部
１０８              球受皿
１１１ａ            内側ガイドレール
１１１ｂ            外側ガイドレール
１１６              球飛走通路
１１７              終端出口部
Ａ                  糸切部材
Ｂ                  戻り球防止具
ｃ                  不正球
ｄ                  操作糸
Ｅ                  球供給発射経路
Ｐ                  弾球遊技機（パチンコ遊技機）
【図１】
2013144007.tif 000003
【図２】
2013144007.tif 000004
【図３】
2013144007.tif 000005
【図４】
2013144007.tif 000006
【図５】
2013144007.tif 000007
【図６】
2013144007.tif 000008
【図７】
2013144007.tif 000009
【図８】
2013144007.tif 000010
【図９】
2013144007.tif 000011